(57)【要約】【課題】  耐衝撃性に優れたケースおよびそれを備えた時計を提供する。【解決手段】  本体ケース５の上部に固定される上部ケース６が、本体ケース５の上部にその内周側に位置した状態で固定された内側ケース７と、本体ケース５の上部にその外周側に位置した状態で配置された外側ケース８と、内側ケース７と外側ケース８との間に設けられて、内側ケース７と外側ケース８とを非接触状態で配置する緩衝部材９と、を備えている。従って、外側ケース８が外部から衝撃を受けた際に、その衝撃を内側ケース７と外側ケース８との間の緩衝部材９によって確実にかつ良好に緩衝することができる。【選択図】        図２
2018040749.tif 000002
【特許請求の範囲】
【請求項１】
本体ケースと、この本体ケースの上部に固定される上部ケースとを備え、
前記上部ケースは、前記本体ケースの上部にその内周側に位置した状態で固定された内側ケースと、前記本体ケースの上部にその外周側に位置した状態で配置された外側ケースと、前記内側ケースと前記外側ケースとの間に設けられて、前記内側ケースと前記外側ケースとを非接触状態で配置させる緩衝部材と、を備えていることを特徴とするケース。
【請求項２】
請求項１に記載のケースにおいて、前記内側ケースを前記本体ケースの内側上部に固定するための固定部を備えていることを特徴とするケース。
【請求項３】
請求項２に記載のケースにおいて、前記固定部は、前記内側ケースを前記本体ケースの内側上部に配置させて保持する保持部と、前記保持部に設けられて前記本体ケースの内周面にカシメ加工によって固定されるカシメ部と、を備えていることを特徴とするケース。
【請求項４】
請求項１〜請求項３のいずれかに記載のケースにおいて、前記上部ケースは、前記内側ケースの外周面に設けられて前記緩衝部材を上方から押え付ける押え部と、前記外側ケースの内周面に設けられ、前記押え部によって押え付けられた前記緩衝部材が上方から押し当てられて前記本体ケースの上部に向けて押し付けられる受け部と、を備えていることを特徴とするケース。
【請求項５】
請求項１〜請求項４のいずれかに記載のケースにおいて、前記外側ケースは、前記本体ケースと前記外側ケースとの間に設けられた防水部材に押し当てられることにより、前記本体ケースに対してフローティング状態で配置されていることを特徴とするケース。
【請求項６】
請求項４に記載のケースにおいて、前記上部ケースは、前記内側ケースの外周面に設けられて前記外側ケースの前記受け部が食い込む食込み部と、前記食込み部と前記受け部との間に設けられて前記緩衝部材が食い込む逃げ部と、を備えていることを特徴とするケース。
【請求項７】
請求項１〜請求項６のいずれかに記載のケースにおいて、前記緩衝部材は、前記内側ケースと前記外側ケースとの間に配置され、断面がほぼ長方形のリング状に形成されていることを特徴とするケース。
【請求項８】
請求項６に記載のケースにおいて、前記緩衝部材は、前記内側ケースの前記押え部と前記外側ケースの前記受け部との間に配置される第１緩衝部と、前記内側ケースの前記食込み部と前記外側ケースの前記受け部との間に設けられた前記逃げ部に配置される第２緩衝部と、を備え、これらがリング状に形成されていることを特徴とするケース。
【請求項９】
請求項１〜請求項８のいずれかに記載のケースにおいて、前記外側ケースの上部には、装飾部材が設けられていることを特徴とするケース。
【請求項１０】
請求項１〜請求項９のいずれかに記載のケースにおいて、前記内側ケースと前記外側ケースとは、表面処理によって異なる色に着色されていることを特徴とするケース。
【請求項１１】
請求項１〜請求項１０のいずれかに記載されたケースを備えていることを特徴とする時計。
【発明の詳細な説明】
【技術分野】
【０００１】
この発明は、腕時計、携帯電話機、携帯情報端末機などの電子機器に用いられるケースおよびそれを備えた時計に関する。
【背景技術】
【０００２】
例えば、腕時計の腕時計ケースにおいては、特許文献１に記載されているように、時計モジュールを収容する本体ケースと、この本体ケースの上部に時計ガラスを固定するための外装ケースと、を備えた構成のものが知られている。
【先行技術文献】
【特許文献】
【０００３】
【特許文献１】特開２００１−２９６３７５号公報
【０００４】
この種の腕時計ケースは、外装ケースが本体ケースの外周部に配置され、この外装ケースの上部に押え部が内周側に突出して設けられ、この突出した押え部が時計ガラスの縁部を上側から押え付けた状態で、外装ケースが本体ケースの外周部にねじ部材によって固定されるように構成されている。
【発明の概要】
【発明が解決しようとする課題】
【０００５】
しかしながら、このような腕時計ケースでは、外装ケースが外部から衝撃を受けると、その衝撃が本体ケースおよび時計ガラスに直接伝わり、時計ガラスが割れたり、本体ケース内の時計モジュールが破損したりするため、耐衝撃性を確保することができないという問題がある。
【０００６】
この発明が解決しようとする課題は、耐衝撃性に優れたケースおよびそれを備えた時計を提供することである。
【課題を解決するための手段】
【０００７】
この発明は、本体ケースと、この本体ケースの上部に固定される上部ケースとを備え、前記上部ケースは、前記本体ケースの上部にその内周側に位置した状態で固定された内側ケースと、前記本体ケースの上部にその外周側に位置した状態で配置された外側ケースと、前記内側ケースと前記外側ケースとの間に設けられて、前記内側ケースと前記外側ケースとを非接触状態で配置する緩衝部材と、を備えていることを特徴とするケースである。
【発明の効果】
【０００８】
この発明によれば、外側ケースが外部から衝撃を受けた際に、その衝撃を内側ケースと外側ケースとの間の緩衝部材によって確実にかつ良好に緩衝することができるので、耐衝撃性に優れたものを提供することができる。
【図面の簡単な説明】
【０００９】
【図１】この発明を腕時計に適用した一実施形態を示した拡大正面図である。
【図２】図１に示された腕時計のＡ−Ａ矢視における要部を示した拡大断面図である。
【図３】図２に示された腕時計ケースの要部を更に拡大して示した断面図である。
【図４】図２に示された腕時計ケースのカシメ部を示し、（ａ）はカシメ部をカシメる前の状態を示した要部の拡大断面図、（ｂ）はカシメ部をカシメた状態を示した要部の拡大断面図である。
【図５】図３に示された緩衝部材を一部破断して示した要部の拡大図である。
【図６】図５に示された緩衝部材の変形例を一部破断して示した要部の拡大図である。
【発明を実施するための形態】
【００１０】
以下、図１〜図５を参照して、この発明を腕時計に適用した一実施形態について説明する。
この腕時計は、図１および図２に示すように、腕時計ケース１を備えている。この腕時計ケース１の上部開口部には、時計ガラス２がガラスパッキン２ａを介して取り付けられている。この腕時計ケース１の下部には、裏蓋３が蓋パッキン３ａを介して取り付けられている。
【００１１】
この腕時計ケース１の１２時側と６時側とには、図１に示すように、時計バンド（図示せず）が取り付けられるバンド取付部ＢＴが設けられている。また、この腕時計ケース１の３時側には、竜頭などのスイッチ装置ＳＷ１が設けられており、この腕時計ケース１の２時側、４時側、８時側には、押釦スイッチＳＷ２がそれぞれ設けられている。
【００１２】
さらに、この腕時計ケース１は、図２に示すように、その内部に時計モジュール４が配置されるように構成されている。この時計モジュール４は、図示ないが、指針の運針によって時刻を指示する時計ムーブメント、時刻や日付などの情報を電気光学的に表示する表示部、これらを電気的に駆動する回路部などの時計機能に必要な各種の部品を備えている。
【００１３】
ところで、この腕時計ケース１は、図１および図２に示すように、時計モジュール４を収容する本体ケース５と、この本体ケース５の上部に固定されて時計ガラス２がガラスパッキン２ａを介して装着する上部ケース６と、を備えている。本体ケース５は、ステンレス、チタンなどの金属で形成されている。
【００１４】
上部ケース６は、図２に示すように、本体ケース５の上部にその内周側に位置した状態で固定される内側ケース７と、本体ケース５の上部にその外周側に位置した状態で配置される外側ケース８と、内側ケース７と外側ケース８との間に設けられて、内側ケース７と外側ケース８とを非接触状態で配置させる緩衝部材９と、を備えている。なお、緩衝部材９は、防水部材としても機能している。
【００１５】
内側ケース７は、図２に示すように、全体がほぼリング形状に形成されている。この内側ケース７は、その内径が本体ケース５の内径よりも小さく形成され、外径が本体ケース５の内径よりも大きく、かつ本体ケース５の外径よりも小さく形成されている。この場合、内側ケース７は、チタンなどの金属で形成されていることが望ましいが、本体ケース５と同様、ステンレスなどの金属で形成されていても良く、また必ずしも本体ケース５と同じ材料である必要はない。
【００１６】
この内側ケース７は、その表面が蒸着などの表面処理によって所定の色、例えば黒色に着色されている。また、この内側ケース７の内周部には、図２に示すように、見切り部１０とガラス装着部１１とが設けられている。見切り部１０は、内側ケース７の内周部の上部側から下部側に向けて次第に内径が小さくなるように傾斜して設けられている。
【００１７】
ガラス装着部１１は、図２に示すように、見切り部１０の上部における外周縁に起立して設けられた外周壁１１ａを備え、時計ガラス２の外周側の下面が内側ケース７の上面に配置された状態で、時計ガラス２の外周面がガラスパッキン２ａを介して外周壁１１ａの内周面に圧接するように構成されている。
【００１８】
一方、外側ケース８は、図２に示すように、全体がほぼリング形状に形成されている。すなわち、この外側ケース８は、その内径が内側ケース７の外径と同じか、それよりも少し大きく形成され、外径が本体ケース５の外径よりも大きく形成されている。この場合、外側ケース８は、チタンなどの金属で形成されていることが望ましいが、内側ケース７と同様、ステンレスなどの金属で形成されていても良い。
【００１９】
この場合にも、外側ケース８は、その表面が蒸着などの表面処理によって、内側ケース７と異なる色、例えば青色に着色されていることが望ましいが、内側ケース７と同じ色に着色されていても良い。また、この外側ケース８は、必ずしも金属で形成されている必要はなく、例えばセラミックス、石英ガラス、貴金属（金、銀、プラチナ）、人工宝石（人工サファイア、人工ルビー）などの材料で形成されていても良い。
【００２０】
ところで、上部ケース６は、図２に示すように、本体ケース５の内側上部に固定部１２によって固定されるように構成されている。この固定部１２は、内側ケース７を本体ケース５の内側上部に配置させて保持する保持部１３と、この保持部１３に設けられて本体ケース５の内周面にカシメ加工によって固定されるカシメ部１４と、を備えている。
【００２１】
保持部１３は、図２に示すように、内側ケース７の下面におけるほぼ中間部に垂下して設けられた内周壁１３ａを備え、内側ケース７の外周部の下面が本体ケース５の内周側の上面に当接した状態で、内周壁１３ａの外周面が本体ケース５の内周面に接触する状態で配置されるように構成されている。これにより、保持部１３は、内側ケース７を本体ケース５の内側上部に配置させて、内側ケース７を本体ケース５の上部に保持するように構成されている。
【００２２】
カシメ部１４は、図２および図４に示すように、内側ケース７の保持部１３の内周壁１３ａにおける下端部の複数箇所に設けられた爪部である。このカシメ部１４は、内側ケース７の保持部１３が本体ケース５の内周側の上部に配置された状態で、カシメ加工によってカシメられた際に、本体ケース５の内周面に設けられた凹部５ａ内に食い込んで、内側ケース７を本体ケース５に固定するように構成されている。
【００２３】
すなわち、このカシメ部１４は、図４（ａ）に示すように、内側ケース７の保持部１３が本体ケース５の内周側の上部に配置された状態で、カシメ加工される前のときに、本体ケース５の内周面に設けられた凹部５ａの外部に位置した状態で、本体ケース５の凹部５ａに対応して配置されるように構成されている。
【００２４】
また、このカシメ部１４は、図４（ｂ）に示すように、本体ケース５の内周面に設けられた凹部５ａに対応して配置された状態で、カシメ加工によってカシメられた際に、本体ケース５の内周面に設けられた凹部５ａ内に食い込むことにより、内側ケース７を本体ケース５に強固に固定するように構成されている。
【００２５】
また、上部ケース６は、図２および図３に示すように、内側ケース７の外周面に設けられて、緩衝部材９を上方から押え付ける押え部１５と、外側ケース８の内周面に設けられ、押え部１５によって押え付けられた緩衝部材９が上方から押し当てられて本体ケース５の上部に向けて押し付けられる受け部１６と、を備えている。
【００２６】
押え部１５は、図２および図３に示すように、内側ケース７の見切り部１０の上部に対応する外周部に設けられた段差部である。すなわち、内側ケース７の見切り部１０に対応する外周部のほぼ中間部には、緩衝部材９が配置される内側切欠き凹部１５ａが設けられている。このため、押え部１５は、内側切欠き凹部１５ａの上端部に段差部として形成されている。
【００２７】
これにより、押え部１５は、図２および図３に示すように、内側ケース７の保持部１３が本体ケース５の内周側の上部に配置された際に、内側切欠き凹部１５ａに配置された緩衝部材９を上方から押え付けて外側ケース８の受け部１６に押し付けることにより、外側ケース８を本体ケース５の上部に押え付けるように構成されている。
【００２８】
一方、外側ケース８の受け部１６は、図２および図３に示すように、外側ケース８の内周面の下部に設けられた段差突起部であり、内側ケース７の内側切欠き凹部１５ａの下側に位置した状態で、外側ケース８の内周部にその内周側に向けて突出して設けられている。すなわち、この受け部１６は、内側ケース７の内側切欠き凹部１５ａに配置された緩衝部材９の下側に位置し、緩衝部材９の下面が配置されるように構成されている。
【００２９】
これにより、受け部１６は、図２および図３に示すように、内側ケース７の保持部１３が本体ケース５の内周側の上部に配置される際に、受け部１６の上面に配置された緩衝部材９が内側ケース７の押え部１５によって押え付けられ、この押え付けられた緩衝部材９によって本体ケース５の上部に向けて押え付けられるように構成されている。
【００３０】
この場合、外側ケース８の下端部は、図２および図３に示すように、本体ケース５の上端部に設けられた溝部１７内に配置された防水部材１８を押し付ける支持突起部１９が外側ケース８の下側に突出して設けられている。本体ケース５の溝部１７は、本体ケース５の上端面における中間部にリング状に設けられた凹溝である。この溝部１７の外周側に位置する本体ケース５の上部には、支持突起部１９の外周を隠すための目隠し部５ｂが上方に突出して設けられている。
【００３１】
支持突起部１９は、図２および図３に示すように、外側ケース８の下端面における受け部１６の下側に突出した状態で、リング状に形成されている。この支持突起部１９は、その径方向の長さが本体ケース５の溝部１７の径方向の長さよりも少し短く形成されている。また、この支持突起部１９は、その下端面が内側ケース７の下面と同じ高さで、かつ下側に突出する長さが、本体ケース５の上部に設けられた目隠し部５ｂの高さよりも少し長く形成されている。
【００３２】
防水部材１８は、図２および図３に示すように、ゴムなどの弾力を有する合成樹脂によってリング状に形成され、本体ケース５の溝部１７内に嵌め込まれるように構成されている。すなわち、この防水部材１８は、リング状の溝部１７内の形状とほぼ同じ形状でほぼ同じ大きさに形成されている。
【００３３】
これにより、支持突起部１９は、図２および図３に示すように、外側ケース８が本体ケース５の上部に配置される際に、支持突起部１９の下端部が本体ケース５の溝部１７内の防水部材１８に対応し、支持突起部１９の外周部が本体ケース５の溝部１７の外周に位置する目隠し部５ｂの内周面に非接触状態で対応し、この状態で外側ケース８を本体ケース５の上部に支持するように構成されている。
【００３４】
このため、外側ケース８は、図２に示すように、内側ケース７の押え部１５によって押え付けられた緩衝部材９が外側ケース８の受け部１６を押し付けた際に、支持突起部１９の下端部が防水部材１８に押し当てられることにより、外側ケース８が内側ケース７および本体ケース５に接触せず、本体ケース５に対してフローティング状態で配置されるように構成されている。
【００３５】
ところで、緩衝部材９は、図５に示すように、断面がほぼ長方形のリング状に形成されている。すなわち、この緩衝部材９は、その内径が内側ケース７の内側切欠き凹部１５ａの外径と同じ大きさで、外径が外側ケース８の受け部１６の上側に位置する内周面の内径と同じ大きさに形成されている。この緩衝部材９は、ポリアミドなどの弾力性を有する合成樹脂によって形成されている。
【００３６】
これにより、緩衝部材９は、図２および図３に示すように、内側ケース７の内側切欠き凹部１５ａの外周面と外側ケース８の受け部１６の上側に位置する内周面との間に配置された状態で、内側ケース７の押え部１５と外側ケース８の受け部１６との間に上下方向に挟み付けられた際に、弾力的に変形するように構成されている。
【００３７】
この場合、緩衝部材９の内周面の上部と外周面の下部とには、図５に示すように、それぞれ面取り部９ａが設けられている。この緩衝部材９の内周面の上部に設けられた面取り部９ａは、内側ケース７の内側切欠き凹部１５ａに緩衝部材９を装着し易くするように構成されている。また、この緩衝部材９の外周面の下部に設けられた面取り部９ａは、外側ケース８の受け部１６の上側に位置する内周面に緩衝部材９を装着し易くするように構成されている。
【００３８】
ところで、内側ケース７の外周面には、図２および図３に示すように、外側ケース８の受け部１６が径方向に食い込む食込み凹部２０が、押え部１５の内側切欠き凹部１５ａの下端部から内側ケース７の保持部１３の下面に亘って設けられている。この内側ケース７の食込み凹部２０と外側ケース８の受け部１６の上面との間には、緩衝部材９が圧縮された際に、緩衝部材９が食い込むための逃げ部２１が設けられている。
【００３９】
この逃げ部２１は、図２および図３に示すように、外側ケース８の受け部１６の上面とこれに対向する内側ケース７の食込み凹部２０の下面との間の隙間であり、内側ケース７の内側切欠き凹部１５ａの下端部に逃し傾斜部２１ａが設けられた構成になっている。この逃し傾斜部２１ａは、緩衝部材９が内側ケース７の押え部１５と外側ケース８の受け部１６との間で圧縮されて変形する際に、その変形する緩衝部材９を逃げ部２１に逃し易くするように構成されている。
【００４０】
これにより、緩衝部材９は、図２および図３に示すように、内側ケース７の内側切欠き凹部１５ａの外周面と外側ケース８の受け部１６の上側に位置する内周面との間に配置された状態で、内側ケース７の押え部１５と外側ケース８の受け部１６との間で挟み付けられて圧縮変形する際に、緩衝部材９の下部が受け部１６の上面と食込み凹部２０の下面との間の逃げ部２１に食い込むように構成されている。このため、この緩衝部材９は、内側ケース７の外周面と外側ケース８の内周面との間の防水を図るように構成されている。
【００４１】
また、外側ケース８には、図２に示すように、装飾部材２３が装着する装着部２２が設けられている。この装着部２２は、外側ケース８の上部に設けられたリング状の切欠き溝部であり、緩衝部材９よりも上側に位置し、外側ケース８の外周部を除いて内周側および上側に開放された状態で設けられている。これにより、この装着部２２は、その内部に上方から装飾部材２３が装着するように構成されている。
【００４２】
装飾部材２３は、図２に示すように、上部ケース６を装飾するためのものであり、装着部２２とほぼ同じ大きさのリング状に形成され、外側ケース８の装着部２２内に接着剤（図示せず）によって接着されて固定されるように構成されている。この装飾部材２３は、外側ケース８と同様、ステンレス、チタン、セラミックス、石英ガラス、貴金属（金、銀、プラチナ）、人工宝石（人工サファイア、人工ルビー）などの材料で形成されていても良いが、貝、木、石などの天然物、または合成樹脂などの装飾性を有する材料で形成されていても良い。
【００４３】
次に、この腕時計ケース１の作用について説明する。
この腕時計ケース１を組み立てる場合には、まず、上部ケース６の内側ケース７の外周に外側ケース８を配置して上部ケース６を組み立て、この上部ケース６を本体ケース５の上部に取り付ける。
【００４４】
この場合には、予め、内側ケース７の外周部における押え部１５の下側に位置する内側切欠き凹部１５ａに緩衝部材９を装着させる。このときには、緩衝部材９の内周面の上部に面取り部９ａが設けられているので、この面取り部９ａによって緩衝部材９を内側ケース７の内側切欠き凹部１５ａに容易に装着させることができる。また、このときには、外装ケース８の装着部２２に装飾部材２３を接着剤によって接着させて装着させる。
【００４５】
この状態で、外側ケース８を内側ケース７の外周にその下側から嵌め込んで、内側ケース７と外側ケース８とを組み合わせる。このときには、内側ケース７の押え部１５における内側切欠き凹部１５ａに装着された緩衝部材９の外周面に、外側ケース８の受け部１６の上側に位置する内周面を配置させる。この場合には、緩衝部材９の外周面の下部に設けられた面取り部９ａによって、外側ケース８を内側ケース７の内側切欠き凹部１５ａに装着された緩衝部材９に容易に装着させることができる。
【００４６】
これにより、緩衝部材９は、内側ケース７の内側切欠き凹部１５ａの外周面と外側ケース８の受け部１６の上側に位置する内周面との間に挟まれると共に、内側ケース７の押え部１５の下面と外側ケース８の受け部１６の上面との間に挟まれる。この状態では、外側ケース８の受け部１６が内側ケース７の内側切欠き凹部１５ａの下側に位置する食込み凹部２０に食込み、外側ケース８の受け部１６の上面とこれに対応する食込み凹部２０の下面との間に逃げ部２１が設けられる。
【００４７】
また、この状態では、内側ケース７の下部に位置する保持部１３の外周側の上面と外側ケース８の下端部から突出した支持突起部１９の下端面とが同じ高さで配置される。さらに、この状態では、内側ケース７のガラス装着部１１における外周壁１１ａの外周面に、外側ケース８の装着部２２に装着された装飾部材２３の内周面が対応し、内側ケース７のガラス装着部１１における外周壁１１ａの上部と装飾部材２３の上部とがほぼ同じ高さで配置される。
【００４８】
これにより、内側ケース７と外側ケース８とが組み合われて、上部ケース６が構成される。そして、この上部ケース６を本体ケース５の上部に取り付ける。このときには、予め、本体ケース５の上部に設けられた溝部１７内に防水部材１８を配置する。この状態で、内側ケース７の保持部１３を本体ケース５の内側上部に対応させると共に、外側ケース８の下端部に位置する支持突起部１９を本体ケース５の溝部１７内の防水部材１８に対応させる。
【００４９】
そして、内側ケース７の保持部１３を本体ケース５の内側上部に上方から嵌め込んで、保持部１３の下面を本体ケース５の内周側の上面に当接させて、保持部１３の内周壁１３ａの外周面を本体ケース５の内周面に対応させると共に、カシメ部１４を本体ケース５の内面に設けられた凹部５ａに対応させる。これにより、内側ケース７が本体ケース５の内側上部に保持される。
【００５０】
このときには、内側ケース７の押え部１５の下面が緩衝部材９を押え付け、この緩衝部材９が外側ケース８の受け部１６の上面を押え付ける。このため、外側ケース８が本体ケース５の上部に押し付けられることにより、この外側ケース８の支持突起部１９が本体ケース５の溝部１７内に配置された防水部材１８を押圧させた状態で、外側ケース８の外周側の下面が本体ケース５の上部の目隠し部５ｂの上方に配置される。
【００５１】
このため、外側ケース８は、内側ケース７および本体ケース５に非接触状態で、かつ本体ケース５に対してフローティング状態で配置される。この状態で、上部ケース６を本体ケース５の上部に固定する際には、内側ケース７の保持部１３の下端部に設けられたカシメ部１４をカシメして本体ケース５の凹部５ａに食い込ませる。これにより、内側ケース７が本体ケース５に強固に固定され、これに伴って外側ケース８が本体ケース５に対してフローティング状態で固定される。
【００５２】
この状態では、緩衝部材９が内側ケース７の内側切欠き凹部１５ａの外周面と外側ケース８の受け部１６の上側に位置する内周面との間に配置された状態で、内側ケース７の押え部１５と外側ケース８の受け部１６との間で挟み付けられて圧縮変形する。このため、この緩衝部材９によって内側ケース７の外周面と外側ケース８の内周面との間の防水が図れる。
【００５３】
このときには、緩衝部材９の下部が受け部１６の上面と食込み凹部２０の下面との間の逃げ部２１に食い込む。この場合、逃げ部２１は、内側ケース７の内側切欠き凹部１５ａの下端部に逃し傾斜部２１ａが設けられているので、この逃し傾斜部２１ａによって緩衝部材９が圧縮変形する際に、その変形する緩衝部材９を逃げ部２１に容易に逃すことができる。これにより、腕時計ケース１が組み立てられる。
【００５４】
このように組み立てられた腕時計ケース１は、上部ケース６の内側ケース７におけるガラス装着部１１に、時計ガラス２がガラスパッキン２ａを介して装着される。また、この腕時計ケース１では、本体ケース５の内部に時計モジュール４が配置され、この本体ケース５の下部に裏蓋３が蓋パッキン３ａを介して取り付けられる。これにより、腕時計が組み立てられる。
【００５５】
このように組み立てられた腕時計では、腕時計ケース１の外側ケース８が外部から衝撃を受けた際に、その衝撃を内側ケース７と外側ケース８との間の緩衝部材９によって確実にかつ良好に緩衝することができるので、耐衝撃性の高いものを得ることができる。すなわち、内側ケース７と外側ケース８とは、緩衝部材９によって非接触状態で配置されることにより、外側ケース８が外部から衝撃を受けて緩衝部材９が衝撃を緩衝する際に、外側ケース８を衝撃に応じて変位させることができる。
【００５６】
これにより、この腕時計では、外側ケース８が横方向（径方向）から衝撃を受けても、その衝撃を緩衝部材９によって確実にかつ良好に緩衝することができることができるので、外側ケース８が外部から受けた衝撃が内側ケース７に伝わることがない。このため、内側ケース７に装着された時計ガラス２が衝撃によって割れることがなく、時計ガラス２を良好に保護することができると共に、外側ケース８の衝撃が本体ケース５に伝わることがないので、本体ケース５内の時計モジュール４が衝撃によって破損することがない。
【００５７】
また、この腕時計では、外側ケース８が本体ケース５の上部に設けられた防水部材１８に押し当てられることにより、本体ケース５に対して外側ケース８がフローティング状態で配置されている。このため、外側ケース８が上下方向（厚み方向）から衝撃を受けても、その衝撃が本体ケース５に伝わることがないので、本体ケース５内に配置された時計モジュール４が衝撃によって破損することがない。
【００５８】
このように、この腕時計ケース１によれば、本体ケース５の上部に固定される上部ケース６が、本体ケース５の上部にその内周側に位置した状態で固定される内側ケース７と、本体ケース５の上部にその外周側に位置した状態で配置される外側ケース８と、内側ケース７と外側ケース８との間に設けられて、内側ケース７と外側ケース８とを非接触状態で配置する緩衝部材９と、を備えていることにより、耐衝撃性に優れたものを提供することができる。
【００５９】
すなわち、この腕時計ケース１では、外側ケース８が外部から衝撃を受けた際に、その衝撃を内側ケース７と外側ケース８との間の緩衝部材９によって確実にかつ良好に緩衝することができる。この場合、内側ケース７と外側ケース８とは、緩衝部材９によって非接触状態で配置されているので、外側ケース８が外部から受けた衝撃を緩衝部材９が緩衝する際に、外側ケース８を衝撃に応じて変位させることができる。このため、緩衝部材９によって衝撃を確実にかつ良好に緩衝することができるので、耐衝撃性に優れたものを提供することができる。
【００６０】
また、この腕時計ケース１では、内側ケース７が固定部１２によって本体ケース５の上部に固定されていることにより、内側ケース７に外側ケース８を緩衝部材９によって確実に取り付けることができ、これにより外側ケース８を本体ケース５に対して良好に取り付けることができると共に、内側ケース７に装着された時計ガラス２を本体ケース５に対して確実に固定することができる。
【００６１】
すなわち、固定部１２は、内側ケース７を本体ケース５の内側上部に配置させて保持する保持部１３と、この保持部１３に設けられて本体ケース５の内周面に設けられた凹部５ａにカシメ加工によって固定されるカシメ部１４と、を備えていることにより、保持部１３によって内側ケース７を本体ケース５の上部に確実に保持することができると共に、カシメ部１４によって内側ケース７を本体ケース５の上部に強固に固定することができる。
【００６２】
この場合、保持部１３は、内側ケース７の下面におけるほぼ中間部に垂下して設けられた内周壁１３ａを備え、内側ケース７の外周部の下面が本体ケース５の内周側の上面に当接した状態で、内周壁１３ａの外周面が本体ケース５の内周面に接触する状態で配置される構成であるから、保持部１３によって内側ケース７を本体ケース５の内側上部に配置させた状態で、内側ケース７を本体ケース５の上部に確実に保持させることができる。
【００６３】
また、カシメ部１４は、内側ケース７の保持部１３の内周壁１３ａにおける下端部の複数箇所に設けられた爪部であり、内側ケース７の保持部１３が本体ケース５の内周側の上部に配置された状態で、カシメ加工によって本体ケース５の内周面に設けられた凹部５ａ内に食い込む構成であるから、内側ケース７を本体ケース５に確実にかつ強固に固定することができる。
【００６４】
また、この腕時計ケース１では、上部ケース６が、内側ケース７の外周面に設けられて緩衝部材９を上方から押え付ける押え部１５と、外側ケース８の内周面に設けられ、押え部１５によって押え付けられた緩衝部材９が上方から押し当てられて本体ケース５の上部に向けて押し付けられる受け部１６と、を備えていることにより、緩衝部材９を内側ケース７の外周面と外側ケース８の内周面との間に確実にかつ良好に配置することができると共に、押え部１５と受け部１６とで緩衝部材９を確実に挟んで良好に圧縮させることができる。
【００６５】
すなわち、押え部１５は、内側ケース７の外周部におけるほぼ中間部に設けられて緩衝部材９が配置される内側切欠き凹部１５ａの上端部に、段差部として形成されていることにより、内側ケース７の保持部１３が本体ケース５の内周側の上部に配置された際に、内側切欠き凹部１５ａに配置された緩衝部材９を上方から押え付けて外側ケース８の受け部１６に確実に押し付けることができる。
【００６６】
受け部１６は、内側ケース７の内側切欠き凹部１５ａの下側に位置する外側ケース８の内周面に、その内周側に向けて突出して設けられ、内側ケース７の内側切欠き凹部１５ａに配置された緩衝部材９の下面が配置されることにより、押え部１５によって押え付けられた緩衝部材９を受け部１６で確実に受け止めることができる。
【００６７】
このため、この腕時計ケース１では、緩衝部材９を内側ケース７の押え部１５と外側ケース８の受け部１６とで確実に挟み付けることができるので、緩衝部材９を確実にかつ良好に圧縮変形させることができると共に、外側ケース８を本体ケース５の上部に向けて確実に押し付けることができる。これにより、この腕時計ケース１では、緩衝部材９によって内側ケース７と外側ケース８との間の防水を確実にかつ良好に図ることができる。
【００６８】
また、この腕時計ケース１では、本体ケース５と外側ケース８との間に設けられた防水部材１８に外側ケース８の下部が押し当てられることにより、外側ケース８を本体ケース５に対してフローティング状態で良好に配置することができる。すなわち、外側ケース８は、緩衝部材９を内側ケース７の押え部１５と外側ケース８の受け部１６とで挟み付けて、本体ケース５の上部に向けて押し付けられた際に、外側ケース８の下部を防水部材１８に確実にかつ良好に押し当てることができ、これにより外側ケース８を本体ケース５に対して非接触状態で良好に配置させることができる。
【００６９】
この場合、外側ケース８は、その下部に支持突起部１９が下側に突出して設けられ、この支持突起部１９が本体ケース５の上面の溝部１７内に配置された防水部材１８に押し当てられることにより、外側ケース８を本体ケース５に非接触状態で支持することができ、これにより外側ケース８を本体ケース５に対してフローティング状態で良好に配置させることができる。
【００７０】
このため、この腕時計ケース１では、外側ケース８が上下方向（厚み方向）から衝撃を受けた際に、その衝撃を防水部材１８によって確実にかつ良好に緩衝することができ、これにより衝撃が本体ケース５に伝わることがないので、本体ケース５内に配置された時計モジュール４が衝撃によって破損しないように、時計モジュール４を良好に保護することができる。
【００７１】
また、この腕時計ケース１では、上部ケース６が、内側ケース７の外周面に設けられて外側ケース８の受け部１６が食い込む食込み凹部２０と、この食込み凹部２０と受け部１６との間に設けられて緩衝部材９が食い込むための逃げ部２１と、を備えていることにより、緩衝部材９が内側ケース７の押え部１５と外側ケース８の受け部１６との間に挟み付けられて圧縮変形する際に、緩衝部材９の下部を逃げ部２１に食い込ませて逃すことができ、これにより緩衝部材９を確実にかつ良好に圧縮変形させることができる。
【００７２】
この場合、緩衝部材９は、内側ケース７の外周面と外側ケース８の内周面との間で、かつ内側ケース７の押え部１５と外側ケース８の受け部１６との間に配置される断面ほぼ長方形のリング形状に形成されていることにより、内側ケース７の外周面と外側ケース８の内周面との間に緩衝部材９を簡単にかつ良好に配置することができると共に、内側ケース７の外周面と外側ケース８の内周面とで緩衝部材９を確実に挟むことができ、これにより内側ケース７の押え部１５の下面と外側ケース８の受け部１６の上面とによって緩衝部材９を確実にかつ良好に圧縮させることができる。
【００７３】
このため、この緩衝部材９は、内側ケース７の押え部１５の下面と外側ケース８の受け部１６の上面との間で圧縮された際に、緩衝部材９の下部を逃げ部２１に確実にかつ良好に食い込ませることができるので、緩衝部材９を確実にかつ良好に圧縮変形させることができ、この圧縮変形された緩衝部材９によって内側ケース７の外周面と外側ケース８の内周面との間の防水を確実に図ることができる。
【００７４】
この場合、逃げ部２１は、外側ケース８の受け部１６の上面とこれに対向する内側ケース７の食込み凹部２０の下面との間の隙間であり、内側ケース７の内側切欠き凹部１５ａの下端部に逃し傾斜部２１ａが設けられていることにより、緩衝部材９が内側ケース７の押え部１５と外側ケース８の受け部１６との間で圧縮されて変形する際に、逃し傾斜部２１ａによって緩衝部材９を逃げ部２１に逃し易くことができ、これにより緩衝部材９を確実にかつ良好に圧縮変形させることができる。
【００７５】
また、この腕時計ケース１では、外側ケース８の上部に装飾部材２３が設けられていることにより、この装飾部材２３によって腕時計ケース１を装飾することができ、これにより腕時計ケース１のデザイン性を高めることができる。すなわち、装飾部材２３は、外側ケース８の上部に設けられた装着部２２内に接着剤（図示せず）によって接着された状態で装着されることにより、外側ケース８の上側に装飾部材２３を露出させることができ、この露出した装飾部材２３によって上部ケース６の装飾性を高めることができる。
【００７６】
この場合、装飾部材２３は、ステンレス、チタン、セラミックス、石英ガラス、貴金属（金、銀、プラチナ）、人工宝石（人工サファイア、人工ルビー）などの材料で形成されていても良いが、貝、木、石などの天然物、または合成樹脂などの装飾性を有する材料で形成されていれば、より一層、上部ケース６の装飾性を高めることができるので、更なるデザイン性の向上を図ることができる。
【００７７】
さらに、この腕時計ケース１では、内側ケース７と外側ケース８とが蒸着などの表面処理によって異なる色に着色されていることにより、色彩が豊富になり、デザイン性を高めることができる。すなわち、内側ケース７と外側ケース８とは、チタンなどの同じ金属で形成されていても、また異なる材料、例えば外側ケース８がセラミックスなどの材料で形成されていても、蒸着などの表面処理によって異なる色に着色することができ、これにより色彩のバリエーションが豊富になり、デザイン性に優れたものを得ることができる。
【００７８】
なお、上述した実施形態では、緩衝部材９は断面がほぼ長方形のリング状に形成されている場合について述べたが、この発明はこれに限らず、例えば図６に示す変形例のように構成しても良い。すなわち、この変形例の緩衝部材３０は、ポリアミドなどの弾性を有する合成樹脂によって、断面がほぼＬ字形のリング状に形成されている。
【００７９】
この場合、緩衝部材３０は、内側ケース７の外周面と外側ケース８の内周面との間に配置される第１緩衝部３０ａと、内側ケース７の外周面に設けられた食込み凹部２０と外側ケース８の受け部１６との間に設けられた逃げ部２１に配置される第２緩衝部３０ｂと、を備え、これらがリング状に形成された構成になっている。
【００８０】
また、この緩衝部材３０は、図６に示すように、第１緩衝部３０ａの内周側の上部と第１緩衝部３０ａの外周側の下部とにそれぞれ面取り部３０ｃが設けられた構成になっている。このため、この緩衝部材３０は、第１緩衝部３０ａの内周側の上部に設けられた面取り部３０ｃによって内側ケース７の外周面に装着し易く、第１緩衝部３０ａの外周側の下部に設けられた面取り部３０ｃによって外側ケース８の内周面に装着し易くなるように構成されている。
【００８１】
このような緩衝部材３０では、第１緩衝部３０ａが内側ケース７の外周面と外側ケース８の内周面との間に配置され、第２緩衝部３０ｂが内側ケース７の食込み凹部２０と外側ケース８の受け部１６との間の逃げ部２１に配置され、この状態で内側ケース７の押え部１５と外側ケース８の受け部１６との間で圧縮されることにより、上述した実施形態と同様、緩衝部材３０を確実にかつ良好に圧縮変形させることができる。
【００８２】
また、上述した実施形態およびその変形例では、緩衝部材９、３０がポリアミドなどの弾性を有する合成樹脂で形成されている場合について述べたが、この発明はこれに限らず、シリコーン樹脂、ウレタン樹脂、エラストマーなどの弾性材料を用いても良い。また、緩衝部材９、３０は、防水部材１８よりも硬度の高い材料であることが好ましい。
【００８３】
また、上述した実施形態では、内側ケース７と外側ケース８との各表面を蒸着などの表面処理で着色した場合について述べたが、この発明はこれに限らず、内側ケース７と外側ケース８とが金属で形成されている場合には、金、銀、銅などの金属メッキの表面処理で着色しても良い。この場合、内側ケース７と外側ケース８との各表面は、必ずしも異なる色に着色する必要はなく、同じ色に着色しても良い。
【００８４】
また、上述した実施形態では、内側ケース７を本体ケース５の上部に固定する固定部１２が、内側ケース７を本体ケース５の内側上部に配置させて保持する保持部１３を本体ケース５の内周面にカシメ加工によって固定させるカシメ部１４を備えた構成である場合について述べたが、この発明は、必ずしもカシメ部１４である必要はなく、例えばねじ部材などの締結部材で固定するように構成しても良い。
【００８５】
さらに、上述した実施形態およびその各変形例では、腕時計に適用した場合について述べたが、この発明は、必ずしも腕時計である必要はなく、例えばトラベルウオッチ、目覚まし時計、置き時計、掛け時計などの各種の時計に適用することができる。また、この発明は、必ずしも時計である必要はなく、例えば携帯電話機、携帯情報端末機などの電子機器にも適用することができる。
【００８６】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８７】
（付記）
請求項１に記載の発明は、本体ケースと、この本体ケースの上部に固定される上部ケースとを備え、前記上部ケースは、前記本体ケースの上部にその内周側に位置した状態で固定された内側ケースと、前記本体ケースの上部にその外周側に位置した状態で配置された外側ケースと、前記内側ケースと前記外側ケースとの間に設けられて、前記内側ケースと前記外側ケースとを非接触状態で配置させる緩衝部材と、を備えていることを特徴とするケースである。
【００８８】
請求項２に記載の発明は、請求項１に記載のケースにおいて、前記内側ケースを前記本体ケースの内側上部に固定するための固定部を備えていることを特徴とするケースである。
【００８９】
請求項３に記載の発明は、請求項２に記載のケースにおいて、前記固定部は、前記内側ケースを前記本体ケースの内側上部に配置させて保持する保持部と、前記保持部に設けられて前記本体ケースの内周面にカシメ加工によって固定されるカシメ部と、を備えていることを特徴とするケースである。
【００９０】
請求項４に記載の発明は、請求項１〜請求項３のいずれかに記載のケースにおいて、前記上部ケースは、前記内側ケースの外周面に設けられて前記緩衝部材を上方から押え付ける押え部と、前記外側ケースの内周面に設けられ、前記押え部によって押え付けられた前記緩衝部材が上方から押し当てられて前記本体ケースの上部に向けて押し付けられる受け部と、を備えていることを特徴とするケースである。
【００９１】
請求項５に記載の発明は、請求項１〜請求項４のいずれかに記載のケースにおいて、前記外側ケースは、前記本体ケースと前記外側ケースとの間に設けられた防水部材に押し当てられることにより、前記本体ケースに対してフローティング状態で配置されていることを特徴とするケースである。
【００９２】
請求項６に記載の発明は、請求項４に記載のケースにおいて、前記上部ケースは、前記内側ケースの外周面に設けられて前記外側ケースの前記受け部が食い込む食込み部と、前記食込み部と前記受け部との間に設けられて前記緩衝部材が食い込む逃げ部と、を備えていることを特徴とするケースである。
【００９３】
請求項７に記載の発明は、請求項１〜請求項６のいずれかに記載のケースにおいて、前記緩衝部材は、前記内側ケースと前記外側ケースとの間に配置され、断面がほぼ長方形のリング状に形成されていることを特徴とするケースである。
【００９４】
請求項８に記載の発明は、請求項６に記載のケースにおいて、前記緩衝部材は、前記内側ケースの前記押え部と前記外側ケースの前記受け部との間に配置される第１緩衝部と、前記内側ケースの前記食込み部と前記外側ケースの前記受け部との間に設けられた前記逃げ部に配置される第２緩衝部と、を備え、これらがリング状に形成されていることを特徴とするケースである。
【００９５】
請求項９に記載の発明は、請求項１〜請求項８のいずれかに記載のケースにおいて、前記外側ケースの上部には、装飾部材が設けられていることを特徴とするケースである。
【００９６】
請求項１０に記載の発明は、請求項１〜請求項９のいずれかに記載のケースにおいて、前記内側ケースと前記外側ケースとは、表面処理によって異なる色に着色されていることを特徴とするケースである。
【００９７】
請求項１１に記載の発明は、請求項１〜請求項１０のいずれかに記載されたケースを備えていることを特徴とする時計である。
【符号の説明】
【００９８】
１  腕時計ケース
２  時計ガラス
３  裏蓋
４  時計モジュール
５  本体ケース
６  上部ケース
７  内側ケース
８  外側ケース
９、３０  緩衝部材
９ａ、３０ｃ  面取り部
１０  見切り部
１１  ガラス装着部
１２  固定部
１３  保持部
１４  カシメ部
１５  押え部
１６  受け部
１７  溝部
１８  防水部材
１９  支持突起部
２０  食込み凹部
２１  逃げ部
２２  装着部
２３  装飾部材
３０ａ  第１緩衝部
３０ｂ  第２緩衝部
【図１】
2018040749.tif 000003
【図２】
2018040749.tif 000004
【図３】
2018040749.tif 000005
【図４】
2018040749.tif 000006
【図５】
2018040749.tif 000007
【図６】
2018040749.tif 000008